(57)【要約】【課題】バイオフィルムを効果的に除去することができる食器洗い用液体洗浄剤を提供する。【解決手段】（ａ）２−エチルヘキシルグリセリルエーテルを１質量％以上、５質量％以下、（ｂ）アルキルグリコシド型界面活性剤を１０質量％以上、３０質量％以下、（ｃ）アミンオキシド型界面活性剤を３質量％以上、１０質量％以下、及び水を含有し、（ｄ）陰イオン界面活性剤〔以下、（ｄ）成分という〕と（ｃ）成分のモル比（ｄ）／（ｃ）が０以上、１以下であり、且つ、（ｂ）成分、（ｃ）成分、及び、（ｄ）成分の含有量の合計が２０質量％以上、４０質量％以下である食器洗い用液体洗浄剤組成物。【選択図】なし【特許請求の範囲】
【請求項１】
（ａ）２−エチルヘキシルグリセリルエーテル〔以下、（ａ）成分という〕を１質量％以上、５質量％以下、（ｂ）アルキルグリコシド型界面活性剤〔以下、（ｂ）成分という〕を１０質量％以上、３０質量％以下、（ｃ）アミンオキシド型界面活性剤〔以下、（ｃ）成分という〕を３質量％以上、１０質量％以下、及び水を含有し、
（ｄ）陰イオン界面活性剤〔以下、（ｄ）成分という〕と（ｃ）成分のモル比（ｄ）／（ｃ）が０以上、１以下であり、且つ、
（ｂ）成分、（ｃ）成分、及び、（ｄ）成分の含有量の合計が２０質量％以上、４０質量％以下である、
食器洗い用液体洗浄剤組成物。
【請求項２】
（ｄ）成分の含有量が１質量％以下である、請求項１記載の食器洗い用液体洗浄剤組成物。
【請求項３】
２０℃におけるｐＨが５以上、８以下である、請求項１又は２記載の食器洗い用液体洗浄剤組成物。
【請求項４】
（ａ）成分と（ｃ）成分の質量比（ｃ）／（ａ）が１以上、５以下である、請求項１〜３の何れか１項記載の食器洗い用液体洗浄剤組成物。
【請求項５】
殺菌剤を含有しない、請求項１〜４の何れか１項記載の食器洗い用液体洗浄剤組成物。
【請求項６】
請求項１〜５の何れか１項記載の食器洗い用液体洗浄剤組成物を１質量％以上、２０質量％以下含有する処理液を、バイオフィルムが存在する厨房廻りの器具に接触させるバイオフィルム除去方法。
【発明の詳細な説明】
【技術分野】
【０００１】
本発明は、食器洗い用液体洗浄剤組成物に関する。特に、バイオフィルム除去効果を有する食器洗い用液体洗浄剤組成物に関する。
【背景技術】
【０００２】
バイオフィルムは生物膜又はスライムともいわれ、一般に水系で菌等の微生物が物質の表面に付着して増殖する際に、微生物細胞が産生する多糖、タンパク質及び核酸などの高分子物質により形成された、微生物を包み込む構造体を指す。バイオフィルムが形成されると、微生物による種々の問題が発生するため、様々な産業分野で問題となっている。例えば、食品プラントの配管内にバイオフィルムが形成されると、このバイオフィルムが剥がれ落ちて製品内へ異物として混入されたり、菌に由来する毒素により食中毒が発生する原因となったりする。さらに、金属表面へのバイオフィルム形成は金属腐食の原因となり、設備の老朽化を促進する。
【０００３】
業務用施設の厨房では非常に高い衛生管理が求められている。しかし、現場調査の結果、まな板などの調理器具及びスポンジなどの洗浄道具に菌が残存しやすいことが知られている。調理器具や洗浄道具に残存した菌が繁殖すると、調理器具や洗浄道具が汚染される。特に、洗浄道具において菌が繁殖すると、繁殖した菌が調理器具や食器類、さらには食物に交差汚染することが懸念される。
【０００４】
繁殖した菌はバイオフィルムを形成していることも知られている。バイオフィルムが形成されると、殺菌剤の効果が著しく低減するため、バイオフィルムの形成を抑制したり、形成したバイオフィルムを除去したりする方法が種々検討されている。
【０００５】
特許文献１には、２−エチルヘキシルグリセリルエーテル、アルキルグリコシド、及びアミンオキシドを含有する液体洗浄剤組成物が開示されている。特許文献１には、該組成物が陰イオン界面活性剤を含有できることが記載されており、その実施例、配合例には、２−エチルヘキシルグリセリルエーテル、アルキルグリコシド、アミンオキシド、及び陰イオン界面活性剤を含有する液体洗浄剤組成物が記載されている。また、特許文献２には２−エチルヘキシルグリセリルエーテル、アルキルグリコシド、及びアミンオキシドを含有し２０℃でのｐＨが９．５〜１１．５である硬質表面洗浄剤の技術が開示されている。
【０００６】
また、食器洗い用洗浄剤組成物は直接口に入る食物と接触する食器や俎板などを洗浄するため、より高いレベルの殺菌効果を付与することが安全のため必要であり、特に外食産業の厨房や、弁当や惣菜などを取り扱う中食の厨房において用いられる食器洗い用洗浄剤には、食中毒などの感染リスクを低減するために厳密な殺菌・除菌効果を付与することが必要である。例えば、特許文献３〜５には、殺菌剤を用いた洗浄剤の技術が開示されている。
【先行技術文献】
【特許文献】
【０００７】
【特許文献１】特開２００５−３２５１６７号公報
【特許文献２】特開２００８−０４５１０８号公報
【特許文献３】特開２００８−２６０８２２号公報
【特許文献４】特開２００６−２４９１２４号公報
【特許文献５】特開２００５−１７０８７８号公報
【発明の概要】
【発明が解決しようとする課題】
【０００８】
しかしながら、洗浄剤に通常の殺菌剤を用いただけでは効果的な殺菌効果がなかなか得られないのが現実であり、また、殺菌剤を常時用いた場合には、耐性菌が発生するリスクもある。従って、より高いレベルで感染リスクを低減するために、殺菌剤を用いなくても効果的な除菌効果が得られる技術が強く求められている。
【０００９】
本発明者らはこのような課題を解決するために鋭意研究を重ねた結果、俎板の傷やスポンジ内などにバイオフィルムが形成されており、それが原因で殺菌剤が有効に作用せず、効果的な殺菌・除菌効果が得られないことを見出した。また、これらバイオフィルムは通常の洗浄剤では落としきれないため、俎板の傷やスポンジ内などに残存しやすいことも判明した。従って、バイオフィルムを効果的に除去できれば、殺菌剤を用いなくても効果的に除菌できる技術につながるため有用であると考えられる。特許文献１では、バイオフィルムの効果的な除去については言及されておらず、その実施例、配合例に開示されている組成物も、バイオフィルムの除去という観点では、更なる改良が望まれることが判明した。
【００１０】
本発明の課題は、バイオフィルムを効果的に除去することができる食器洗い用液体洗浄剤を提供することにある。
【課題を解決するための手段】
【００１１】
本発明は、（ａ）２−エチルヘキシルグリセリルエーテル〔以下、（ａ）成分という〕を１質量％以上、５質量％以下、（ｂ）アルキルグリコシド型界面活性剤〔以下、（ｂ）成分という〕を１０質量％以上、３０質量％以下、（ｃ）アミンオキシド型界面活性剤〔以下、（ｃ）成分という〕を３質量％以上、１０質量％以下、及び水を含有し、
（ｄ）陰イオン界面活性剤〔以下、（ｄ）成分という〕と（ｃ）成分のモル比（ｄ）／（ｃ）が０以上、１以下であり、且つ、
（ｂ）成分、（ｃ）成分、及び、（ｄ）成分の含有量の合計が２０質量％以上、４０質量％以下である、
食器洗い用液体洗浄剤組成物に関する。
【００１２】
また、本発明は、上記本発明の食器洗い用液体洗浄剤組成物を１質量％以上、２０質量％以下含有する処理液を、バイオフィルムが存在する厨房廻りの器具に接触させるバイオフィルム除去方法に関する。
【発明の効果】
【００１３】
本発明によると、バイオフィルムを効果的に除去することができる食器洗い用液体洗浄剤が提供される。
【発明を実施するための形態】
【００１４】
＜（ａ）成分＞
本発明の（ａ）成分は２−エチルヘキシルグリセリルエーテルである。該グリセリルエーテルは２−エチルヘキサノールとエピハロヒドリンやグリシドール等のエポキシ化合物をＢＦ3等の酸触媒、あるいはアルミニウム触媒を用いて反応させて製造する方法が一般的であり、特開２００１−４９２９１号公報に記載されているように複数の生成物を含む混合物である。具体的には、２−エチルヘキシルモノグリセリルエーテルとして、エポキシ化合物の１位に２−エチルヘキサノールが付加した化合物〔３−（２−エチルヘキシルオキシ）−１，２−プロパンジオール（以下、（ａ１）成分という〕やエポキシ化合物の２位に付加した化合物〔２−（２−エチルヘキシルオキシ）−１，３−プロパンジオール（以下、（ａ２）成分という〕が挙げられる。また、副生成物として、（ａ１）又は（ａ２）にさらにエポキシ化合物が付加した多付加化合物〔以下、（ａ３）成分という〕が挙げられる。
【００１５】
本発明では（ａ３）成分の含有量が（ａ）成分中に３０質量％以下、好ましくは１０質量％以下、より好ましくは１質量％以下の２−エチルヘキシルモノグリセリルエーテルを用いることが好適である。
【００１６】
＜（ｂ）成分＞
本発明の（ｂ）成分はアルキルグリコシド型界面活性剤であり、一般式（ｂ１）で示されるアルキルグリコシド型界面活性剤が好適である。
【００１７】
Ｒ1b−（Ｏ−Ｒ2b）nＧm          （ｂ１）
〔式中、Ｒ1bは炭素数８以上、１６以下の直鎖アルキル基であり、Ｒ2bは、炭素数２以上、４以下のアルキレン基である。Ｇは還元糖に由来する基を示す。ｎは平均付加モル数であり０以上、５以下の数を示し、ｍは平均縮合度であり１以上、３以下の数を示す。〕
【００１８】
一般式（１）においてＲ1bは炭素数１２以上、１４以下の直鎖アルキル基が好適である。また、ｎは好ましくは０以上であり、そして、好ましくは３以下、更に２以下であり、更に好ましくは０である。Ｒ2bはエチレン基が好ましい。また、Ｇは還元糖に由来する基であり、より具体的にはグリコシド基が挙げられる。原料の還元糖としては、アルドースとケトースの何れであっても良く、また、炭素数が３個以上、６個以下のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも炭素数５又は６のアルドペントースあるいはアルドヘキソースが好ましく、中でもグルコースがより好ましい。
【００１９】
一般式（１）中、ｍは糖の平均縮合度を示し、好ましくは１以上の数であり、そして、好ましくは２以下、更に好ましくは１．５以下の数である。
【００２０】
一般式（１）の化合物は、上記糖とＲ1b−（Ｏ−Ｒ2b）n−ＯＨとを酸触媒を用いてアセタール化反応又はケタール化反応することで容易に合成することができる。また、アセタール化反応の場合、ヘミアセタール構造であっても良く、通常のアセタール構造であっても良い。
【００２１】
＜（ｃ）成分＞
本発明では（ｃ）成分として、アミンオキシド型界面活性剤、好適には炭素数８〜１８の炭化水素基を有するアミンオキシド型界面活性剤を用いる。より具体的には下記一般式（ｃ１）の化合物が好ましい。
【００２２】
【化１】
2014080499.tif 000002
【００２３】
〔式中、Ｒ1cは炭素数８以上、１６以下のアルキル基又はアルケニル基である。Ｘは−ＣＯＯ−、−ＣＯＮＨ−、−ＯＣＯ−、−ＮＨＣＯ−から選ばれる基であり、Ｒ2cは炭素数１以上、６以下のアルキレン基であり、ｐは０又は１の数である。Ｒ3c、Ｒ4cは、それぞれ炭素数１以上、３以下のアルキル基又はヒドロキシアルキル基である。〕
【００２４】
一般式（ｃ１）において、Ｒ1cは好ましくは炭素数１０以上、１４以下のアルキル基又はアルケニル基であり、より好ましくはｐが０の場合はラウリル基又はミリスチル基であり、ｐが１の場合はラウリル酸からカルボキシル基を除いた残基又はミリスチン酸からカルボキシル基を除いた残基である。Ｘは、好ましくは−ＣＯＯ−又は−ＣＯＮＨ−であり、より好ましくは−ＣＯＮＨ−である。Ｒ2cの炭素数は、好ましくは２又は３であり、Ｒ3c、Ｒ4cは、好ましくはメチル基である。さらにｐは０が好適である。
【００２５】
Ｎ−ラウリル−Ｎ，Ｎ−ジメチルアミン−Ｎ−オキシド、Ｎ−ミリスチル−Ｎ，Ｎ−ジメチルアミン−Ｎ−オキシド、Ｎ−（１−ラウロイルアミノプロピル）−Ｎ，Ｎ−ジメチルアミン−Ｎ−オキシド、及び、Ｎ−（１−ミリスチロイルアミノプロピル）−Ｎ，Ｎ−ジメチルアミン−Ｎ−オキシドから選ばれる１種又は２種以上のアミンオキシドが好ましい。
【００２６】
＜食器洗い用液体洗浄剤組成物＞
本発明の食器洗い用液体洗浄剤組成物は（ａ）成分及び（ｃ）成分がバイオフィルムに作用し、バイオフィルムを軟化・除去されやすい状態に変性させ、（ｂ）成分が効果的に除去する作用を有すると考えられ、これら３成分が相乗的に働くことで、殺菌剤を用いなくても優れた除菌効果を得ることができる。なお、後述するように、本発明では、（ｃ）成分に十分な効果を発現させるために、陰イオン界面活性剤の含有量は制限される。
【００２７】
本発明の食器洗い用液体洗浄剤組成物の（ａ）成分の含有量は１質量％以上、５質量％以下であり、２質量％以上、５質量％以下が好ましい。また、本発明の食器洗い用液体洗浄剤組成物の（ｂ）成分の含有量は１０質量％以上、３０質量％以下であり、１５質量％以上、そして、２５質量％以下が好ましい。また、本発明の食器洗い用液体洗浄剤組成物の（ｃ）成分の含有量は３質量％以上、１０質量％以下であり、４質量％以上、更に５質量％以上が好ましく、そして、９質量％以下、更に８質量％以下が好ましい。
【００２８】
本発明の食器洗い用液体洗浄剤組成物の（ｂ）成分及び（ｃ）成分の含有量の合計は、バイオフィルム除去性の観点から、好ましくは２０質量％以上であり、より好ましくは２５質量％以上であり、そして、好ましくは４０質量％以下であり、より好ましくは３５質量％以下である。
【００２９】
本発明の食器洗い用液体洗浄剤組成物において、（ａ）成分の含有量と（ｃ）成分の含有量の質量比（ｃ）／（ａ）は、バイオフィルム除去性の観点から、１以上であることが好ましく、１．１以上であることがより好ましく、１．２以上であることが更に好ましく、１．５以上であることがより更に好ましい。また、質量比（ｃ）／（ａ）は、５以下であることが好ましく、４以下であることがより好ましく、３以下であることが更に好ましい。
【００３０】
＜（ｄ）成分＞
一般的には（ｃ）成分は（ｄ）成分である陰イオン界面活性剤とコンプレックスを形成しやすく、従来は食器洗い洗浄剤の技術において、このようなコンプレックスを形成させることで陰イオン界面活性剤の洗浄効果や起泡力を高めるブースターとして用いられている。しかしながら、このようなコンプレックスを形成させると、バイオフィルムの除去効果は低減することが新たに判明した。すなわちコンプレックスを形成しないフリーな（ｃ）成分の存在が本発明の効果を得るために重要である。
【００３１】
そのため、本発明では、（ｄ）成分の含有量が制限される。本発明では、（ｄ）成分の含有量が、（ｃ）成分の含有量に対して０モル％以上、１００モル％以下である。すなわち、本発明では、（ｄ）成分／（ｃ）成分のモル比が０以上、１以下、好ましくは０．２以下、より好ましくは０．１以下であることが非常に重要である。なお、このモル比は、全（ｃ）成分の合計モル数と全（ｄ）成分の合計モル数で対比される。また、本発明の食器洗い用液体洗浄剤組成物中の（ｄ）成分の含有量は、好ましくは１質量％以下、より好ましくは０．１質量％以下、さらに好ましくは０質量％、即ち、（ｄ）成分は含有しないことが好ましい。
【００３２】
（ｄ）成分としては、炭化水素基を有する陰イオン界面活性剤が挙げられる。更に（ｄ）成分としては、炭素数６以上、２２以下の炭化水素基を有する陰イオン界面活性剤が挙げられる。
【００３３】
より具体的な（ｄ）成分としては、分子中に炭素数１０以上、そして炭素数１８以下、更に１６以下、更に１５以下のアルキル基又はアルケニル基を有するアルキル又はアルケニルベンゼンスルホン酸、分子中に炭素数１０以上、そして炭素数１８以下、更に１６以下、更に１５以下のアルキル基又はアルケニル基を有するアルキル又はアルケニル硫酸エステル、分子中に炭素数１０以上、そして炭素数１８以下、更に１６以下、更に１５以下のアルキル基又はアルケニル基を有するアルキレンオキシド平均付加モル数１以上６以下、更に4モル以下のポリオキシアルキレンアルキル又はアルケニルエーテル硫酸エステル、オレフィン（炭素数８以上、更に１０以上、そして炭素数１８以下、更に１６以下、更に１５以下）スルホン酸、アルカン（炭素数８以上、更に１０以上、そして炭素数１８以下、更に１６以下、更に１５以下）スルホン酸、α−スルホ脂肪酸（炭素数８以上、更に１０以上、そして炭素数１８以下、更に１６以下、更に１５以下）、α−スルホ脂肪酸（炭素数８以上、更に１０以上、そして炭素数１８以下、更に１６以下、更に１５以下）低級アルキル（炭素数１以上、３以下）エステル、脂肪酸（炭素数１０以上、そして炭素数１８以下、更に１６以下、更に１５以下）、分子中に炭素数８以上、１２以下のアルケニルコハク酸及びこれらの塩が挙げられる。塩としてはアルカリ金属、アルカリ土類金属、アルカノールアミンから選ばれるものを挙げることができる。
【００３４】
本発明の食器洗い用液体洗浄剤組成物の（ｂ）成分、（ｃ）成分、及び（ｄ）成分の含有量の合計は、バイオフィルム除去性の観点から、２０質量％以上であり、好ましくは２５質量％以上であり、そして、４０質量％以下であり、好ましくは３５質量％以下である。
【００３５】
＜（ｅ）成分＞
本発明では上述の界面活性剤に加えて、本発明の効果を損なわない程度に（ｂ）〜（ｄ）成分以外の他の界面活性剤（以下（ｅ）成分という）を併用しても差し支えない。具体的には、ベタイン型両性界面活性剤、更に、Ｎ−アルキル−Ｎ，Ｎ−ジメチル−Ｎ−カルボキシメチルアンモニウムカルボベタイン、Ｎ−アルカノイルアミノプロピル−Ｎ，Ｎ−ジメチル−Ｎ−カルボキシメチルアンモニウムカルボベタイン、Ｎ−アルカノイルオキシエチル−Ｎ，Ｎ−ジメチル−Ｎ−カルボキシメチルアンモニウムカルボベタイン、Ｎ−アルキル−Ｎ，Ｎ−ジメチル−Ｎ−（２−ヒドロキシ−３−スルホプロピル）アンモニウムスルホベタイン、Ｎ−アルカノイルアミノプロピル−Ｎ，Ｎ−ジメチル−Ｎ−（２−ヒドロキシ−３−スルホプロピル）アンモニウムスルホベタイン、Ｎ−アルカノイルオキシエチル−Ｎ，Ｎ−ジメチル−Ｎ−（２−ヒドロキシ−３−スルホプロピル）アンモニウムスルホベタインから選ばれる両性界面活性剤が好適であり、これらのアルキル基、又はアルカノイル基の炭素数は１０以上、１６以下が好ましい。
【００３６】
また、他の（ｅ）成分としては、アルキル基の炭素数が１０以上、１６以下であり、オキシアルキレン基の炭素数が２及び／又は３であり、オキシアルキレン基平均付加モル数が５以上、５０以下であるポリオキシアルキレンアルキルエーテルが挙げられる。
【００３７】
本発明の（ｅ）成分は、洗浄効果や起泡性の点から含有することができるが、本発明の効果を損なうおそれがあるため、用いる場合には組成物中の含有量は１０質量％以下が好ましく、５質量％以下がより好ましい。
【００３８】
一般的には食器洗い用洗浄剤は油に対する乳化力を充分備え、油汚れに高い洗浄力を有することが必要である。一般的には（ｄ）成分である陰イオン界面活性剤を含有させて洗浄力を高めることがなされるが、本発明では陰イオン界面活性剤を含有しなくても（ａ）成分〜（ｃ）成分、並びに好ましくは（ｅ）成分を上記のように制御することにより、バイオフィルム除去効果だけでなく、油汚れに対して洗浄力を得ることができるものである。
【００３９】
本発明ではバイオフィルム除去効果だけでなく、油汚れに対する洗浄力の点から、組成物中の界面活性剤の含有量の合計、更には組成物中の（ｂ）成分、（ｃ）成分、（ｄ）成分及び（ｅ）成分の含有量の合計が、好ましくは２０質量％以上、より好ましくは２５質量％以上、そして、好ましくは４０質量％以下であり、より好ましくは３５質量％以下である。なお、ここでの界面活性剤の含有量には（ａ）成分の含有量は含まないものとする。
【００４０】
本発明では、基本的に（ａ）成分〜（ｃ）成分、及び（ｄ）成分を上記のように制御することにより、殺菌剤を用いなくてもバイオフィルムを除去することにより高い除菌効果を得ることができる。従って、本発明の食器洗い用液体洗浄剤組成物として、殺菌剤〔下記（ｆ）成分〕を含有しない組成物が提供される。
【００４１】
一方、外食産業の厨房や、弁当や惣菜などを取り扱う中食の厨房などで用いる場合には、より確実に食中毒リスクを低減されることが望まれる場合がある。その場合には本発明に殺菌剤を併用すると、本発明の技術によりバイオフィルムが除去され、内在していた菌が浮遊するため、従来、バイオフィルム存在下では有効ではなかった殺菌剤が有効に働く。このため、より高度な衛生管理を行う場合には、殺菌剤を併用することもできる。
【００４２】
＜（ｆ）成分＞
殺菌剤〔以下、（ｆ）成分という〕としては、下記（ｆ−１）成分〜（ｆ−３）成分から選ばれる一種以上の殺菌剤を挙げることができる。
（ｆ−１）成分：トリクロサン、イソプロピルメチルフェノール及びパラクロロメタキシレノールから選ばれる芳香族系有機殺菌剤。
（ｆ−２）成分：４級窒素原子に結合する４つの基のうち、１又は２個が炭素数８以上、１２以下のアルキル基であり、残りが炭素数１以上、３以下のアルキル基、ヒドロキシアルキル基、又はベンジル基である４級アンモニウム塩型殺菌剤（塩としては塩素イオン、臭素イオン、炭素数１又は２のアルキル硫酸エステルイオン、炭素数１以上、１２以下の脂肪酸イオン、炭素数１以上、３以下のアルキル基が１個以上、３個以下置換していてもよいベンゼンスルホン酸イオンが好適である）。
（ｆ−３）成分：ポリリジン、ヘキサメチレンビグアニドから選ばれる高分子殺菌剤。
【００４３】
なお、（ｆ−２）成分は界面活性剤としての作用も有するが、（ｆ−２）成分を用いる場合には、本発明では界面活性剤として取り扱わないことにする。
【００４４】
本発明では（ｆ）成分を用いる場合には、組成物中の（ｆ）成分の含有量は、好ましくは０．０１質量％以上、更に０．０５質量％以上であり、そして、好ましくは１質量％以下、更に０．５質量％以下である。
【００４５】
＜その他の成分＞
本発明の食器洗い用液体洗浄剤組成物は、一般に食器洗い用液体洗浄剤組成物に配合し得る成分を含有することができる。具体的には、ガラスコップなどのウォータースポットの形成抑制や曇り抑制、あるいはシンクの水垢の形成を抑制するなどの目的からキレート剤を含有することができる。具体的に使用できるキレート剤としては、エチレンジアミンテトラ酢酸（ＥＤＴＡ）、ニトリロトリ酢酸（ＮＴＡ）、メチルグリシンジ酢酸（ＭＧＤＡ）、グルタミン酸ジ酢酸（ＧＬＤＡ）、クエン酸、コハク酸、１−ヒドロキシエタン−１，１−ジホスホン酸（ディクエスト２０１０）を挙げることができ、メチルグリシンジ酢酸（ＭＧＤＡ）及びクエン酸が好適である。
【００４６】
キレート剤の含有量は、組成物中に好ましくは１質量％以上、更に３質量％以上、そして、好ましくは１０質量％以下、更に７質量％以下である。
【００４７】
本発明では貯蔵安定性及びゲル化防止の点から、有機溶剤、ゲル化防止剤を含有することができる。
【００４８】
有機溶剤としては、エタノール、イソプパノール、プロピレングリコール、ジプロピレングリコール、ポリプロピレングリコール、１，３−ブタンジオール、エチルカルビトールなどが挙げられる。有機溶剤の含有量は、組成物中に好ましくは１質量％以上、更に３質量％以上、そして、好ましくは７質量％以下、更に６質量％以下である。
【００４９】
ゲル化防止剤としては、例えば特表平１１−５１３０６７号公報に記載されているゲル化防止重合体、好ましくはポリアルキレングリコールを挙げることができる。ゲル化防止剤は、含有量が多すぎると洗浄効果を低下させる場合があるため、組成物中の含有量は、好ましくは２．０質量％以下、より好ましくは１．５ 質量％以下、更に好ましくは０．４質量％以下であるが、理想的には配合しないで組成物を設計することが好ましい。ゲル化防止としてのポリアルキレングリコールの具体例としては、ポリエチングリコールを標準としたときのゲルパーミエーションクロマトグラフィーによって求められた重量平均分子量が２００以上、３０００以下のポリプロピレングリコール、及び重量平均分子量が２００以上、３０００以下のポリエチレングリコールが挙げられる。
【００５０】
本発明の食器洗い用液体洗浄剤組成物は、更に、通常の液体洗浄剤に配合されている成分である、ハイドロトロープ剤、香料成分、防腐剤、濁り剤、着色剤、保湿剤等を含有することができる。
【００５１】
食器洗い用液体洗浄剤組成物は、２０℃におけるｐＨが好ましくは５以上、更に６以上であり、そして、好ましくは８以下、更に７以下である。
【００５２】
本発明の食器洗い用液体洗浄剤組成物は、水で希釈して用いられる。具体的には、本発明の食器洗い用液体洗浄剤組成物を１質量％以上、２０質量％以下含有する処理液を、バイオフィルムが存在する厨房廻りの器具に接触させるバイオフィルム除去方法が提供される。厨房廻りの器具としては、皿、はし、及びスプーン等の食器、並びに俎板、包丁、及びボウル等の調理器具等が挙げられる。本発明の食器洗い用液体洗浄剤組成物は、製麺機、炊飯ライン、コンベア、カッター、及びスライサー等の食品加工設備に使用することもできる。
【００５３】
厨房廻りや台所廻りでは、俎板の傷やスポンジ内などにバイオフィルムが形成されており、これら存在が感染リスクを高めるため、本発明では、これら厨房廻りの器具のバイオフィルムが存在する部分に、本発明の食器洗い用液体洗浄剤組成物を含有する処理液（以下“本発明に係る処理液”という）を接触させる。本発明に係る処理液中の食器洗い用液体洗浄剤組成物の濃度は１質量％以上、更に３質量％以上、そして、２０質量％以下、更に１０質量％以下であることがより好ましい。本発明に係る処理液を接触させる際には、例えば硬質表面を有する俎板などの厨房廻りの器具に対しては、スポンジ、キッチンンペーパー、布などの可撓性材料に本発明に係る処理液を含浸させたものでこすり洗いをする方法、あるいは、本発明に係る処理液に俎板などの対象を浸漬させた後、スポンジ、キッチンンペーパー、布などの可撓性材料でこすり洗いするなどの方法を採用することができる。浸漬する場合には、浸漬時間は０．１時間以上、更に０．２時間以上、そして、１５時間以下、更に１０時間以下が好ましい。本発明に係る処理液の温度は、５℃以上、更に１０℃以上、そして、５０℃以下、更に４０℃以下が好ましい。
【００５４】
上記のように本発明に係る処理液を対象物に接触させた後は、水道水ですすぎ、そのまま次の調理工程を行ってもよく、乾燥させても差し支えない。
【実施例】
【００５５】
《バイオフィルム除去性の評価》
ポリエチレンのテストピース〔標準試験版ＰＥ（両面保護テープ付き）、日本テストパネル社製〕を、底面が１．５ｃｍ×１．５ｃｍの正方形となるように切り出し、有効塩素濃度０．１質量％の次亜塩素酸ナトリウム水溶液１００ｍＬに２００枚を液温２５℃で１時間浸漬した後、イオン交換水２００ｍＬで濯ぎ、２５℃で１時間乾燥した。その後、そのテストピースをエタノール１００ｍＬに液温２５℃で３０分間浸漬した後、２５℃で１時間乾燥し、殺菌洗浄したテストピースＡとした。
【００５６】
テストピースＡを２４ウェルプレート（ファルコン社製）の各ウェルに１枚ずつセットする。一方、ＭＴＣ２培地（Becton Dickinson社製）にＯＤ＝１に調整した緑膿菌（Pseudomonas aeruginosa）を１質量％混合した菌液を調製し、各ウェルに１ｍＬ添加して２５℃にて２日間培養し、バイオフィルムを形成した。菌液を廃棄して、イオン交換水２ｍＬによる３分間の洗浄、及び、洗浄液（水）の廃棄を３回繰り返し、バイオフィルムを形成したテストピースＢとした。
【００５７】
テストピースＢを、別に用意した２４ウェルプレートの各ウェルに１枚ずつセットし、表１の各食器洗い用液体洗浄剤組成物をイオン交換水で２０倍希釈した液（５質量％水溶液）２ｍＬを各ウェルに投入して、１０分間テストピースＢを浸漬（液温２０℃）した。
【００５８】
その後、各バイオフィルム除去剤組成物の希釈液を廃棄して、イオン交換水２ｍＬによる３分間の洗浄、及び、洗浄液（水）の廃棄を３回繰り返した。
【００５９】
その後、各ウェルに０．３質量％のクリスタルバイオレット液（和光純薬工業株式会社）を２ｍＬ投入し、テストピースを９０分間浸漬して染色した。
【００６０】
その後、クリスタルバイオレット液を廃棄し、イオン交換水２ｍＬで３分間洗浄、及び、洗浄液（水）の廃棄を２回繰り返し、テストピースＢを別に用意した２４ウェルプレートに１枚ずつセットし、その中にエタノール２ｍＬを投入し、２５℃で１２時間浸漬し、クリスタルバイオレットをエタノール中に溶解させた後、このエタノール液の吸光度を測定した。
【００６１】
この吸光度（サンプル吸光度）に基づき、バイオフィルム除去率（％）を下記の式にて算出して、表１に記載した。
【００６２】
バイオフィルム除去率（％）＝１００×（Ａｎ−Ａｓ）／Ａｎ
式中、
Ａｓ：サンプル吸光度
Ａｎ：ネガティブコントロール吸光度※
※ネガティブコントロール吸光度はバイオフィルム除去剤の代わりに水を添加して測定したものである。
【００６３】
以下に、表１中の化合物について記載する。
・２−エチルヘキシルグリセリルエーテル：下記の方法で合成した化合物〔（ａ３）成分の多付加化合物の含有量は、ガスクロマトグラフィーの分析の結果１質量％以下であった。〕
【００６４】
＜２−エチルヘキシルグリセリルエーテルの合成方法＞
酢酸（キシダ化学社製；１級，純度99％以上）9.57ｇ、２−エチルヘキシルグリシジルエーテル（シェルジャパン社製，純度99％）150ｇ、イオン交換水28.44ｇ、及び水酸化ナトリウム（和光純薬工業社製；特級，純度95％）6.61ｇを300mL丸底フラスコに一括して仕込み、三日月羽根（幅４cm，高さ1.6cm）にて300rpmの攪拌保持し反応させ、２−エチルヘキシルグリセリルエーテルを得た。反応はガスクロマトグラフィーによる定量分析にて転化率99％となった時点で終了した。
【００６５】
・アルキルグリコシド：一般式（ｂ１）においてＲ1bがラウリル基、ｎが０、Ｇがグルコースに由来する基、グルコースの縮合度ｍが１．３のアルキルグリコシド型界面活性剤
・ＡＯ−Ｉ：Ｎ−ラウリル−Ｎ，Ｎ−ジメチルアミン−Ｎ−オキシド〔一般式（ｃ１）においてＲ1cは炭素数１２のアルキル基であり、ｐ＝０であり、Ｒ3c、Ｒ4cは共に炭素数１のアルキル基である化合物。〕
・ＡＯ−II：アルキル組成が炭素数１２のアルキル基８０モル％、炭素数１４のアルキル基２０モル％である、Ｎ−アルキル−Ｎ，Ｎ−ジメチルアミン−Ｎ−オキシド〔一般式（ｃ１）においてＲ1cは炭素数１２又は炭素数１４のアルキル基であり、ｐ＝０であり、Ｒ3c、Ｒ4cは共に炭素数１のアルキル基である化合物。〕
・ＡＯ−III：Ｎ−（１−ミリスチロイルアミノプロピル）−Ｎ，Ｎ−ジメチルアミン−Ｎ−オキシド〔一般式（ｃ１）においてＲ1cが炭素数１３のアルキル基であり、Ｘは−ＣＯＮＨ−であり、Ｒ2cは炭素数３のアルキレン基であり、ｐ＝１であり、Ｒ3c、Ｒ4cは共に炭素数１のアルキル基である化合物。〕
・ＥＳ：オキシエチレン平均付加モル数が４のポリオキシエチレンラウリルエーテル硫酸エステルナトリウム
・ベタイン：Ｎ−ラウリル−Ｎ，Ｎ−ジメチル−Ｎ−（２−ヒドロキシ−３−スルホプロピル）アンモニウムスルホベタイン
【００６６】
【表１】
2014080499.tif 000003